(57)【特許請求の範囲】
【請求項１】
右眼用画像と左眼用画像とを表示期間毎に交互に表示する電気光学装置であって、
交互に配列された第１走査線と第２走査線とを含む複数行の走査線と複数列の信号線との各交差に対応して配置された複数の画素と、
前記各表示期間内の準備期間において前記複数行の走査線をＫ行単位（Ｋは２以上の自然数）で選択期間毎に順次に選択し、前記各表示期間のうち前記準備期間の経過後の書込期間内の第１単位期間では、前記複数行の走査線を相互に隣合う２行ずつ区分した第１組を選択期間毎に順次に選択し、前記書込期間のうち前記第１単位期間の経過後の第２単位期間では、前記第２走査線を選択期間毎に順次に選択し、前記書込期間のうち前記第２単位期間の経過後の第３単位期間では、前記第１組から１本ずらして前記複数行の走査線を相互に隣合う２行ずつ区分した第２組を選択期間毎に順次に選択する走査線駆動回路と、
前記各表示期間の準備期間内の選択期間毎に、所定階調に対応する階調電位を前記各信号線に供給し、前記各表示期間のうち前記書込期間内の前記第１単位期間の選択期間毎に、当該選択期間で選択される第１組のうち第１走査線に対応する各画素の指定階調に応じた階調電位を前記各信号線に供給し、前記第２単位期間の選択期間毎に、当該選択期間で選択される前記第２走査線に対応する各画素の指定階調に応じた階調電位を前記各信号線に供給し、前記第３単位期間の選択期間毎に、当該選択期間で選択される第２組のうち前記第２走査線に対応する各画素の指定階調に応じた階調電位を前記各信号線に供給する信号線駆動回路と
を具備する電気光学装置。
【請求項２】
右眼用シャッターと左眼用シャッターとを含む立体視用眼鏡で立体視される右眼用画像および左眼用画像を表示する電気光学装置であって、
前記各表示期間の前記準備期間の少なくとも一部を含む期間にて前記右眼用シャッターおよび前記左眼用シャッターの双方を閉状態に制御し、前記右眼用画像の表示期間内の前記書込期間の少なくとも一部を含む期間にて前記右眼用シャッターを開状態に制御するとともに前記左眼用シャッターを閉状態に制御し、前記左眼用画像の表示期間内の前記書込期間の少なくとも一部を含む期間にて前記左眼用シャッターを開状態に制御するとともに前記右眼用シャッターを閉状態に制御する眼鏡制御回路
を具備する請求項１の電気光学装置。
【請求項３】
請求項１または請求項２の電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
図１０に示すように、右眼用画像の表示期間ＰRと左眼用画像の表示期間ＰLとが交互に設定される。各表示期間Ｐ（ＰR，ＰL）は単位期間Ｕ1と単位期間Ｕ2とに区分される。表示期間ＰR内の単位期間Ｕ1では表示画像が左眼用画像から右眼用画像に更新されるとともに直後の単位期間Ｕ2では右眼用画像が表示され、表示期間ＰL内の単位期間Ｕ1では表示画像が右眼用画像から左眼用画像に更新されるとともに直後の単位期間Ｕ2では左眼用画像が表示される。各表示期間Ｐの単位期間Ｕ1では、右眼用シャッターおよび左眼用シャッターの双方が閉状態に制御される。したがって、右眼用画像と左眼用画像との混在は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、観察者が実際に画像を視認できる期間が、各表示期間Ｐの単位期間Ｕ2（すなわち約半分）に制限される。したがって、表示画像の明度を充分に確保することが困難であるという問題がある。以上の事情を考慮して、本発明は、右眼用画像と左眼用画像との混在が観察者に知覚されることを抑制しながら表示画像の明度を向上させることを目的とする。
【課題を解決するための手段】
【０００６】
以上の課題を解決するために、本発明の電気光学装置は、右眼用画像と左眼用画像とを表示期間毎に交互に表示する電気光学装置であって、複数行の走査線と複数列の信号線との各交差に対応して配置された複数の画素と、各表示期間内の準備期間において所定階調に対応する階調電位をＫ行単位（Ｋは２以上の自然数）で各画素に供給し、各表示期間のうち準備期間の経過後の書込期間において各画素の指定階調に応じた階調電位を各画素に供給する駆動回路とを具備する。所定階調は、表示画像の内容とは無関係に選定された階調である。典型的には黒階調（最低階調）が所定階調として好適に選定される。
【０００７】
以上の構成では、各表示期間の準備期間において各画素の表示階調が所定階調に設定されるから、右眼用画像と左眼用画像との混在（クロストーク）を防止することが可能である。また、準備期間では、所定階調に応じた階調電位がＫ行（複数行）単位で各画素に供給されるから、例えば所定階調に応じた階調電位を１行単位で各画素に供給する構成と比較して準備期間の時間長が短縮される。すなわち、例えば各表示期間の時間長を固定した場合、表示期間のうち指定階調に応じた階調電位が各画素に供給される書込期間（すなわち右眼用画像や左眼用画像が表示される期間）が相対的に長時間に設定される。したがって、表示画像の明度を向上させることが可能である。
【０００８】
本発明の好適な態様において、複数行の走査線は、交互に配列された第１走査線と第２走査線とを含み、駆動回路は、各表示期間内の準備期間において複数の走査線をＫ行単位で選択期間毎に順次に選択し、各表示期間のうち書込期間内の第１単位期間では、複数行の走査線を相互に隣合う２行ずつ区分した第１組を選択期間毎に順次に選択し、書込期間のうち第１単位期間の経過後の第２単位期間では、第２走査線を選択期間毎に順次に選択する走査線駆動回路と、各表示期間の準備期間内の選択期間毎に、所定階調に応じた階調電位を各信号線に供給し、各表示期間のうち書込期間内の第１単位期間の選択期間毎に、当該選択期間で選択される第１組のうち第１走査線に対応する各画素の指定階調に応じた階調電位を各信号線に供給し、第２単位期間の選択期間毎に、当該選択期間で選択される第２走査線に対応する各画素の指定階調に応じた階調電位を各信号線に供給する信号線駆動回路とを含む。以上の態様では、書込期間内の第１単位期間にて走査線を２本ずつ選択して各画素に階調電位を供給するから、例えば第１単位期間にて走査線を１本ずつ順次に選択して各画素に階調電位を供給する構成と比較すると、複数の画素の表示階調が前述の所定階調から表示画像に応じた階調に更新されるまでの時間を短縮する（（表示画像が実際に表示される時間長を充分に確保する）ことが可能である。なお、第１単位期間では表示画像の解像度が低下するが、直後の第２単位期間にて１本おきに走査線が選択されて各画素に階調電位が供給されるから、第１単位期間における表示画像の解像度の低下が観察者に知覚され難いという利点がある。
【０００９】
本発明に係る電気光学装置の第１態様において、走査線駆動回路は、各表示期間の書込期間のうち第２単位期間の経過後の第３単位期間において、第１組から１本ずらして複数行の走査線を相互に隣合う２行ずつ区分した第２組を選択期間毎に順次に選択し、信号線駆動回路は、第３単位期間の選択期間毎に、当該選択期間で選択される第２組のうち第２走査線に対応する各画素の指定階調に応じた階調電位を各信号線に供給する。第１態様の具体例は例えば第１実施形態として後述される。
【００１０】
本発明に係る電気光学装置の第２態様において、走査線駆動回路は、各表示期間の書込期間のうち第２単位期間の経過後の第３単位期間において各走査線の選択を停止し、信号線駆動回路は、第３単位期間において各信号線に対する階調電位の供給を停止する。第２態様の具体例は例えば第２実施形態として後述される。
【００１１】
第１態様の電気光学装置では、書込期間内の第３単位期間において走査線の第２組が順次に選択されて各画素に表示画像に応じた階調電位が供給される。したがって、第２単位期間の経過後における各画素の印加電圧の変動が第２態様と比較して抑制されるという利点がある。他方、第２態様の電気光学装置では、書込期間内の第３単位期間において駆動回路の動作が停止するから、第１態様と比較して駆動回路の消費電力が削減されるという利点がある。
【００１２】
第１組をＱ本（Ｑは２以上の自然数）の走査線の集合として一般化した場合、駆動回路は、各表示期間内の準備期間において複数の走査線をＫ行単位で選択期間毎に順次に選択し、各表示期間の書込期間内のＱ個の単位期間のうち第１番目の単位期間では、複数行の走査線を相互に隣合うＱ行ずつ区分した第１組を選択期間毎に順次に選択し、書込期間のうち第ｑ番目（ｑ＝２〜Ｑ）の各単位期間では、各第１組の第ｑ番目の走査線を選択期間毎に順次に選択する走査線駆動回路と、各表示期間の準備期間内の選択期間毎に、所定階調に応じた階調電位を各信号線に供給し、各表示期間のうち書込期間内の第１番目の単位期間の選択期間毎に、当該選択期間で選択される第１組のうち第１番目の走査線に対応する各画素の指定階調に応じた階調電位を各信号線に供給し、第ｑ番目の単位期間の選択期間毎に、当該選択期間で選択される走査線に対応する各画素の指定階調に応じた階調電位を各信号線に供給する信号線駆動回路とを含む要素として表現される。
【００１３】
本発明の好適な態様の電気光学装置は、右眼用シャッターと左眼用シャッターとを含む立体視用眼鏡で立体視される右眼用画像および左眼用画像を表示する電気光学装置であって、各表示期間の準備期間の少なくとも一部を含む期間にて右眼用シャッターおよび左眼用シャッターの双方を閉状態に制御し、右眼用画像の表示期間内の書込期間の少なくとも一部を含む期間にて右眼用シャッターを開状態に制御するとともに左眼用シャッターを閉状態に制御し、左眼用画像の表示期間内の書込期間の少なくとも一部を含む期間にて左眼用シャッターを開状態に制御するとともに右眼用シャッターを閉状態に制御する眼鏡制御回路を具備する。
【００１４】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１５】
【図１】本発明の第１実施形態に係る立体視表示装置のブロック図である。
【図２】画素回路の回路図である。
【図３】立体視表示装置の動作の説明図である。
【図４】走査線駆動回路の動作の説明図である。
【図５】第２実施形態における立体視表示装置の動作の説明図である。
【図６】変形例における動作の説明図である。
【図７】電子機器（投射型表示装置）の斜視図である。
【図８】電子機器（パーソナルコンピュータ）の斜視図である。
【図９】電子機器（携帯電話機）の斜視図である。
【図１０】従来の技術における立体視動動作の説明図である。
【発明を実施するための形態】
【００１６】
＜第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。
【００１７】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１８】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００１９】
駆動回路４０は、各画素ＰIXの表示階調を規定する階調電位Ｘ[n]（ｎ＝１〜Ｎ）を各画素ＰIXに供給する回路であり、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。信号線駆動回路４４は、走査線駆動回路４２による走査線３２の選択に同期してＮ本の信号線３４の各々に階調電位Ｘ[1]〜Ｘ[N]を供給する。
【００２０】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）の信号線３４の階調電位Ｘ[n]に応じた階調を表示する。なお、液晶素子ＣLに並列に補助容量を接続した構成も採用され得る。
【００２１】
図１の制御回路１４は、電気光学パネル１２を制御する表示制御回路１４２と、立体視用眼鏡２０を制御する眼鏡制御回路１４４とを具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。
【００２２】
図３は、電気光学装置１０の動作の説明図である。図３に示すように、電気光学装置１０の動作期間は、複数の表示期間Ｐ（右眼用表示期間ＰRおよび左眼用表示期間ＰL）に区分される。右眼用表示期間ＰRでは右眼用画像ＧRが画素部３０に表示され、左眼用表示期間ＰLでは左眼用画像ＧLが画素部３０に表示される。右眼用表示期間ＰRと左眼用表示期間ＰLとは時間軸上に交互に配列する。各表示期間Ｐ（ＰR，ＰL）は、準備期間Ｓと書込期間Ｗとを含んで構成される。書込期間Ｗは、準備期間に後続する期間であり、３個の単位期間Ｕ（Ｕ1，Ｕ2，ＵE）に区分される。単位期間Ｕ2は単位期間Ｕ1に後続し、単位期間ＵEは単位期間Ｕ2に後続する。準備期間Ｓと３個の単位期間Ｕの各々とは略同等の時間長に設定される。
【００２３】
図４は、各表示期間Ｐ（ＰR，ＰL）での走査線駆動回路４２の動作の説明図である。図４に示すように、各表示期間Ｐの準備期間Ｓでは、走査線駆動回路４２は、Ｍ行の走査線３２を相互に隣合う２行ずつ区分した複数の組（以下「第１組」という）の各々を選択期間Ｈ毎に順次に選択する。第１組は、偶数行（第2k行）の１行の走査線３２と、その走査線３２に対してｙ方向の負側に隣合う奇数行（第(2k-1)行）の１行の走査線３２とで構成される。走査線駆動回路４２は、準備期間Ｓ内の１個の選択期間Ｈにて走査信号Ｙ[2k-1]および走査信号Ｙ[2k]を選択電位に設定することで第１組の２行の走査線３２を同時に選択する。例えば、準備期間Ｓ内の第１番目の選択期間Ｈでは第１行および第２行の２行の走査線３２が同時に選択され、準備期間Ｓ内の第２番目の選択期間Ｈでは第３行および第４行の２行の走査線３２が同時に選択される。
【００２４】
各表示期間Ｐのうち書込期間Ｗ内の単位期間Ｕ1では、走査線駆動回路４２は、準備期間Ｓ内の動作と同様に、選択期間Ｈ毎に第１組を順次に選択する。すなわち、走査線駆動回路４２は、単位期間Ｕ1内の１個の選択期間Ｈにて走査信号Ｙ[2k-1]および走査信号Ｙ[2k]を選択電位に設定することで第１組の２行の走査線３２を同時に選択する。例えば単位期間Ｕ1内の第１番目の選択期間Ｈでは第１行および第２行の計２行の走査線３２が同時に選択され、単位期間Ｕ1内の第２番目の選択期間Ｈでは第３行および第４行の計２行の走査線３２が同時に選択される。
【００２５】
各表示期間Ｐの書込期間Ｗ内の単位期間Ｕ2では、走査線駆動回路４２は、図４に示すように、Ｍ行の走査線３２を１行おきに選択期間Ｈ毎に順次に選択する。すなわち、第１組の２本の走査線３２のうちの一方の走査線３２が単位期間Ｕ2では順次に選択される。具体的には、走査線駆動回路４２は、単位期間Ｕ2内の１個の選択期間Ｈにて走査信号Ｙ[2k]を選択電位に設定することで偶数行の走査線３２を選択期間Ｈ毎に順次に選択する。例えば、単位期間Ｕ2内の第１番目の選択期間Ｈでは第２行の走査線３２が選択され、単位期間Ｕ2内の第２番目の選択期間Ｈでは第４行の走査線３２が選択される。奇数行の走査線３２は単位期間Ｕ2では選択されない。
【００２６】
各表示期間Ｐの書込期間Ｗ内の単位期間ＵEでは、走査線駆動回路４２は、図４に示すように、第１組とは相違する組合せでＭ行の走査線３２を相互に隣合う２行ずつ区分した複数の組（以下「第２組」という）の各々を選択期間Ｈ毎に順次に選択する。第２組は、偶数行（第2k行）の１本の走査線３２と、その走査線３２に対してｙ方向の正側に隣合う奇数行（第(2k+1)行）の１本の走査線３２とで構成される。すなわち、第１組と第２組とは、１行分だけｙ方向にずれた関係にある。走査線駆動回路４２は、単位期間ＵE内の１個の選択期間Ｈにて走査信号Ｙ[2k]および走査信号Ｙ[2k+1]を選択電位に設定することで第２組の２本の走査線３２を同時に選択する。例えば、単位期間ＵE内の第１番目の選択期間Ｈでは第２行および第３行の計２本の走査線３２が同時に選択され、単位期間ＵE内の第２番目の選択期間Ｈでは第４行および第５行の計２本の走査線３２が同時に選択される。なお、第１実施形態での説明では便宜的に、単位期間ＵE内で第１行目の走査線３２が選択されない場合を例示するが、単位期間ＵEにて第１行目の走査線３２を選択することも可能である。
【００２７】
図３に示すように、信号線駆動回路４４は、各表示期間Ｐ（ＰR，ＰL）内の準備期間Ｓにおいて所定階調Ｇ0に応じた階調電位Ｘ[1]〜Ｘ[N]を各信号線３４に供給する一方、右眼用表示期間ＰR内の書込期間Ｗでは右眼用画像ＧRに応じた階調電位Ｘ[1]〜Ｘ[N]を各信号線３４に供給し、左眼用表示期間ＰL内の書込期間Ｗでは左眼用画像ＧLに応じた階調電位Ｘ[1]〜Ｘ[N]を各信号線３４に供給する。所定階調Ｇ0は、右眼用画像ＧRや左眼用画像ＧLにおける各画素ＰIXの指定階調とは無関係に選定された階調である。具体的には黒階調（最低階調）が所定階調Ｇ0として好適に選定される。
【００２８】
信号線駆動回路４４は、各画素ＰIXの液晶素子ＣLに対する印加電圧の極性が周期的に反転するように所定の基準電位に対する各階調電位Ｘ[n]の極性を順次に反転させる。図３には、所定の基準電位（例えば共通電極６４の電位）に対する各階調電位Ｘ[n]の極性（書込極性）の時間変化が例示されている。階調電位Ｘ[n]は液晶素子ＣLの画素電極６２に供給されるから、図３に例示された書込極性は、液晶素子ＣLに対する印加電圧の極性と同視され得る。図３に示すように、信号線駆動回路４４は、各表示期間Ｐ（ＰR，ＰL）内の準備期間Ｓおよび単位期間ＵEと単位期間Ｕ1および単位期間Ｕ2とで階調電位Ｘ[n]（液晶素子ＣLの印加電圧の極性）を逆極性に設定し、かつ、準備期間Ｓおよび各単位期間Ｕでの階調電位Ｘ[n]の極性を右眼用表示期間ＰRと左眼用表示期間ＰLとで逆極性に設定する。具体的には、階調電位Ｘ[n]は、右眼用表示期間ＰR内の準備期間Ｓと単位期間ＵEとで正極性(+)に設定されるとともに単位期間Ｕ1と単位期間Ｕ2とで負極性(-)に設定され、かつ、左眼用表示期間ＰL内の準備期間Ｓと単位期間ＵEとで負極性に設定されるとともに単位期間Ｕ1と単位期間Ｕ2とで正極性に設定される。
【００２９】
各表示期間Ｐ（ＰR，ＰL）の準備期間Ｓ内の各選択期間Ｈでは、信号線駆動回路４４は、所定階調Ｇ0に応じた共通の階調電位Ｘ[1]〜Ｘ[N]を各信号線３４に供給する。したがって、準備期間Ｓ内の各選択期間Ｈでは、図３の部分(Ｒ0)および部分(Ｌ0)に示す通り、走査線駆動回路４２が選択している第１組の第(2k-1)行および第2k行の各画素ＰIXに対して所定階調Ｇ0に応じた共通の階調電位Ｘ[n]が供給される。すなわち、準備期間Ｓでは、所定階調Ｇ0に応じた階調電位Ｘ[n]が２行単位（第１組毎）で順次に各画素ＰIXに供給される。例えば、準備期間Ｓ内の第１番目の選択期間Ｈでは、所定階調Ｇ0に応じた階調電位Ｘ[n]が第１行および第２行の各画素ＰIXに供給され、第２番目の選択期間Ｈでは、所定階調Ｇ0に応じた階調電位Ｘ[n]が第３行および第４行の各画素ＰIXに供給される。
【００３０】
各表示期間Ｐ内の書込期間Ｗでの信号線駆動回路４４の動作を以下に説明する。右眼用表示期間ＰRの書込期間Ｗ内の単位期間Ｕ1のうち、第１組を構成する第(2k-1)行および第2k行の２本の走査線３２が選択される選択期間Ｈでは、信号線駆動回路４４は、右眼用画像ＧRのうち第(2k-1)行の各画素ＰIXの指定階調ＧR[2k-1]に応じた階調電位Ｘ[n]を各信号線３４に供給する。したがって、図３の部分（R1）に示す通り、第(2k-1)行および第2k行の各画素ＰIXには、第(2k-1)行の画素ＰIXの指定階調ＧR[2k-1]に応じた階調電位Ｘ[n]が共通に供給される。例えば、単位期間Ｕ1内の第１番目の選択期間Ｈでは、右眼用画像ＧRのうち第１行の各画素ＰIXの指定階調ＧR[1]に応じた階調電位Ｘ[n]が第１行および第２行の各画素ＰIXに供給され、第２番目の選択期間Ｈでは、右眼用画像ＧRのうち第３行の各画素ＰIXの指定階調ＧR[3]に応じた階調電位Ｘ[n]が第３行および第４行の各画素ＰIXに供給される。以上のように単位期間Ｕ1では、ｙ方向に相互に隣合う２個の画素ＰIXに共通の階調電位Ｘ[n]が供給されるから、単位期間Ｕ1が終了する時点では、ｙ方向の解像度を半分に低下させた右眼用画像ＧRが画素部３０に表示される。
【００３１】
右眼用表示期間ＰRの書込期間Ｗ内の単位期間Ｕ2のうち第2k行の走査線３２が選択される選択期間Ｈでは、信号線駆動回路４４は、右眼用画像ＧRのうちその第2k行の走査線３２に対応する各画素ＰIXの指定階調ＧR[2k]に応じた階調電位Ｘ[n]を各信号線３４に供給する。例えば、図３の部分(R2)に示すように、単位期間Ｕ2内の第１番目の選択期間Ｈでは、右眼用画像ＧRのうち第２行の各画素ＰIXの指定階調ＧR[2]に応じた階調電位Ｘ[n]が第２行の各画素ＰIXに供給され、第２番目の選択期間Ｈでは、右眼用画像ＧRのうち第４行の各画素ＰIXの指定階調ＧR[4]に応じた階調電位Ｘ[n]が第４行の各画素ＰIXに供給される。他方、奇数行の各画素ＰIXにおける液晶素子ＣLの印加電圧は直前の単位期間Ｕ1での設定電圧に保持される。したがって、単位期間Ｕ1の終点ではｙ方向に半分の解像度で表示されていた右眼用画像ＧRが、単位期間Ｕ2の終点では所期の解像度（縦Ｍ行×横Ｎ列）の右眼用画像ＧRに更新される。
【００３２】
右眼用表示期間ＰRの書込期間Ｗ内の単位期間ＵEのうち第２組を構成する第2k行および第(2k+1)行の２本の走査線３２が選択される選択期間Ｈでは、信号線駆動回路４４は、右眼用画像ＧRのうち第2k行の各画素ＰIXに対応する指定階調ＧR[2k]に応じた階調電位Ｘ[n]を各信号線３４に供給する。したがって、図３の部分(R3)に示すように、第２組を構成する第2k行および第(2k+1)行の各画素ＰIXには、第2k行の画素ＰIXの指定階調ＧR[2k]に応じた階調電位Ｘ[n]が共通に供給される。例えば、単位期間ＵE内の第１番目の選択期間Ｈでは、右眼用画像ＧRのうち第２行の各画素ＰIXの指定階調ＧR[2]に応じた階調電位Ｘ[n]が第２行および第３行の各画素ＰIXに供給され、第２番目の選択期間Ｈでは、右眼用画像ＧRのうち第４行の各画素ＰIXの指定階調ＧR[4]に応じた階調電位Ｘ[n]が第４行および第５行の各画素ＰIXに供給される。なお、単位期間ＵEにて第１行を選択する構成では、例えば第１行が選択される選択期間Ｈにて所定電位（例えば中間調に対応する電位）の階調電位Ｘ[n]が各信号線３４に供給される。
【００３３】
以上の説明では右眼用表示期間ＰRの書込期間Ｗ内の動作を説明したが、左眼用表示期間ＰL内の書込期間Ｗでも信号線駆動回路４４は同様に動作する。すなわち、左眼用表示期間ＰLの書込期間Ｗのうち単位期間Ｕ1内の各選択期間Ｈでは、図３の部分(L1)に示す通り、第(2k-1)行および第2k行で構成される第１組の各画素ＰIXに対して第(2k-1)行の各画素ＰIXの指定階調ＧL[2k-1]に応じた階調電位Ｘ[n]が供給される。また、単位期間Ｕ2内の各選択期間Ｈでは、図３の部分(L2)に示す通り、第2k行の各画素ＰIXに対してその画素ＰIXの指定階調ＧL[2k]に応じた階調電位Ｘ[n]が供給される。そして、単位期間ＵE内の各選択期間Ｈでは、図３の部分(L3)に示す通り、第2k行および第(2k+1)行で構成される第２組の各画素ＰIXに第2k行の指定階調ＧL[2k]が供給される。
【００３４】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐ（ＰR，ＰL）の準備期間Ｓにて右眼用シャッター２２および左眼用シャッター２４の双方を閉状態に制御する。また、眼鏡制御回路１４４は、右眼用表示期間ＰR内の書込期間Ｗにて右眼用シャッター２２を開状態に制御するとともに左眼用シャッター２４を閉状態に制御し、左眼用表示期間ＰL内の書込期間Ｗにて左眼用シャッター２４を開状態に制御するとともに右眼用シャッター２２を閉状態に制御する。
【００３５】
したがって、右眼用表示期間ＰR内の書込期間Ｗで表示される右眼用画像ＧRは右眼用シャッター２２を透過して観察者の右眼に到達するとともに左眼用シャッター２４で遮断される。他方、左眼用表示期間ＰL内の書込期間Ｗで表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３６】
以上に説明した第１実施形態では、各表示期間Ｐの準備期間Ｓにおいて、各画素ＰIXの表示階調が、右眼用画像ＧRや左眼用画像ＧLとは無関係の所定階調Ｇ0に制御されるから、右眼用画像ＧRと左眼用画像ＧLとの混在（クロストーク）は発生しない。すなわち、右眼用画像ＧRと左眼用画像ＧLとが確実に右眼および左眼に分離されるから、観察者に明確な立体感を知覚させることが可能である。
【００３７】
また、各表示期間Ｐの準備期間Ｓでは、所定階調Ｇ0に応じた階調電位Ｘ[n]が２行単位で各画素ＰIXに供給される。したがって、所定階調Ｇ0の階調電位Ｘ[n]を１行単位で各画素ＰIXに供給する構成と比較して準備期間Ｓの時間長（すなわち右眼用シャッター２２および左眼用シャッター２４の双方を閉状態に維持すべき時間長）が短縮される。すなわち、各表示期間Ｐのうち右眼用シャッター２２または左眼用シャッター２４を開状態に維持できる時間長が充分に確保される。したがって、観察者が認識する表示画像の明度を向上することが可能である。
【００３８】
第１実施形態では、各表示期間Ｐの書込期間Ｗ内の単位期間Ｕ1にて走査線３２を２本ずつ選択して各画素ＰIXに階調電位Ｘ[n]を供給する。したがって、例えば単位期間Ｕ1にて走査線３２を１本ずつ選択して各画素ＰIXに階調電位Ｘ[n]を供給する構成と比較して、Ｍ行分の画素ＰIXの表示階調が所定階調Ｇ0から表示画像（ＧR，ＧL）に応じた階調に更新されるまでの時間が短縮されるという利点がある。なお、各表示期間Ｐの単位期間Ｕ1では表示画像のｙ方向の解像度が低下するが、直後の単位期間Ｕ2では第2k行の各画素ＰIXに階調電位Ｘ[n]が供給されるから、単位期間Ｕ1における表示画像の解像度の低下は観察者に殆ど認識されない。
【００３９】
＜第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００４０】
図５は、第２実施形態の動作の説明図である。第１実施形態では、各表示期間Ｐの書込期間Ｗ内の単位期間ＵEにて第２組毎に各画素ＰIXに階調電位Ｘ[n]を供給した。他方、第２実施形態では、図５の部分(R3)および部分(L3)に示すように、各表示期間Ｐ（ＰR，ＰL）のうち書込期間Ｗ内の単位期間ＵEにおいて、駆動回路４０が各画素ＰIXに対する階調電位Ｘ[n]の供給動作を停止する。すなわち、各表示期間Ｐの単位期間ＵEでは、走査線駆動回路４２は各走査線３２の選択を停止し、信号線駆動回路４４は各信号線３４に対する階調電位Ｘ[1]〜Ｘ[N]の供給を停止する。したがって、各単位期間ＵEにおいては、各画素ＰIXの液晶素子ＣLの印加電圧は直前の書込電圧に保持される。準備期間Ｓと単位期間Ｕ1および単位期間Ｕ2とにおける動作は第１実施形態と同様である。
【００４１】
第２実施形態においても第１実施形態と同様の効果が実現される。また、第２実施形態では、各表示期間Ｐの単位期間ＵEにて駆動回路４０の動作が停止するから、単位期間ＵEでも各画素ＰIXに階調電位Ｘ[n]を供給する第１実施形態と比較して駆動回路４０の消費電力が削減されるという利点がある。
【００４２】
なお、第２実施形態において各画素ＰIXに対する階調電位Ｘ[n]の供給が停止する単位期間ＵEでは、例えば選択スイッチＳWにおける電流のリーク等に起因して液晶素子ＣLの印加電圧（ひいては各画素ＰIXの表示階調）が経時的に変動する可能性がある。第１実施形態では単位期間ＵEにおいても各画素ＰIXに階調電位Ｘ[n]が供給されるから、第２実施形態と比較して単位期間ＵEでの液晶素子ＣLの印加電圧の変動が抑制される。したがって、液晶素子ＣLに対する印加電圧を高精度に制御するという観点からは第１実施形態が好適である。
【００４３】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００４４】
（１）第１実施形態では、各表示期間Ｐの単位期間ＵEにおいて第２組の各画素ＰIXに偶数行の指定階調（ＧR[2k]，ＧL[2k]）を供給したが、単位期間ＵEにおける駆動回路４０の動作は以上の例示に限定されない。例えば、単位期間ＵEにて走査線３２を第１組毎に順次に選択するとともに奇数行の各画素ＰIXの指定階調（ＧR[2k-1]，ＧL[2k-1]）に応じた階調電位Ｘ[n]を各信号線３４に供給する構成や、単位期間ＵEにて奇数行の走査線３２を順次に選択するとともに奇数行の各画素ＰIXの指定階調に応じた階調電位Ｘ[n]を各信号線３４に供給する構成も採用され得る。単位期間ＵEを省略することも可能である。
【００４５】
また、前述の各形態では、単位期間Ｕ1にて第１組の各画素ＰIXに階調電位Ｘ[n]を供給するとともに単位期間Ｕ2にて偶数行の各画素ＰIXに階調電位Ｘ[n]を供給したが、書込期間Ｗで各画素ＰIXに階調電位Ｘ[n]を供給する方法は以上の例示に限定されない。例えば、書込期間Ｗにおいて走査線３２を１行ずつ順次に選択するとともに各画素ＰIXの指定階調に応じた階調電位Ｘ[n]を各信号線３４に供給することも可能である。
【００４６】
前述の各形態では、奇数行（第(2k-1)行）の指定階調（ＧR[2k-1]，ＧL[2k-1]）に応じた階調電位Ｘ[n]を単位期間Ｕ1にて第１組の各画素ＰIXに供給し、偶数行（第2k行）の指定階調（ＧR[2k]，ＧL[2k]）に応じた階調電位Ｘ[n]を単位期間Ｕ2にて偶数行の各画素ＰIXに供給したが、単位期間Ｕ2にて階調電位Ｘ[n]が供給される各画素ＰIX（奇数行／偶数行）や、単位期間Ｕ1および単位期間Ｕ2の各々で階調電位Ｘ[n]に反映される指定階調（奇数行／偶数行）は以上の例示に限定されない。例えば、偶数行（第2k行）の指定階調（ＧR[2k]，ＧL[2k]）に応じた階調電位Ｘ[n]を単位期間Ｕ1にて第１組の各画素ＰIXに供給し、奇数行（第(2k-1)行）の指定階調（ＧR[2k-1]，ＧL[2k-1]）に応じた階調電位Ｘ[n]を単位期間Ｕ2にて奇数行の各画素ＰIXに供給することも可能である。単位期間ＵEでは、例えば奇数行の指定階調（ＧR[2k-1]，ＧL[2k-1]）に応じた階調電位Ｘ[n]が第２組の各画素ＰIXに供給される。
【００４７】
また、前述の各形態では、第(2k-1)行および第2k行を第１組として第2k行および第(2k+1)行を第２組としたが、Ｍ本の走査線３２の区分の方法は適宜に変更される。例えば第2k行および第(2k+1)行を第１組として第(2k-1)行および第2k行を第２組とした構成も採用される。すなわち、単位期間Ｕ1では第2k行および第(2k+1)行を第１組の各画素ＰIXに階調電位Ｘ[n]が供給され、単位期間Ｕ2では奇数行の各画素ＰIXに階調電位Ｘ[n]が供給される。
【００４８】
以上の説明から理解されるように、各表示期間Ｐ内の書込期間Ｗでの動作は、各画素ＰIXの指定階調に応じた階調電位Ｘ[n]を各画素ＰIXに供給する動作として包括され、各画素ＰIXに対する階調電位Ｘ[n]の供給の順序や回数は任意である。
【００４９】
（２）前述の各形態では、単位期間ＵEにて第１行の各画素ＰIXに階調電位Ｘ[n]を供給しない場合を便宜的に例示したが、第１行の各画素ＰIXに当該行の指定階調（ＧR[1]，ＧL[1]）に応じた階調電位Ｘ[n]や所定の階調（例えば黒階調や中間調）に応じた階調電位Ｘ[n]を供給することも可能である。
【００５０】
（３）前述の各形態では、各表示期間Ｐの準備期間Ｓにおいて走査線３２を２本単位（第１組毎）で選択して各画素ＰIXに階調電位Ｘ[n]を供給したが、準備期間Ｓにて同時に選択される走査線３２の本数（以下「同時選択数」という）は適宜に変更される。具体的には、準備期間Ｓ内での同時選択数を、単位期間Ｕ1の各選択期間Ｈでの走査線３２の同時選択数と相違させることも可能である。例えば、準備期間Ｓ内で３本以上を単位として走査線３２を選択期間Ｈ毎に選択する構成や、準備期間Ｓ内で全部（Ｍ本）の走査線３２を一斉に選択する構成も採用され得る。すなわち、各表示期間Ｐ内の準備期間Ｓでの動作は、所定階調Ｇ0に対応する階調電位Ｘ[n]をＫ行単位（Ｋは２以上かつＭ以下の自然数）で各画素ＰIXに供給する動作として包括される。第１実施形態や第２実施形態は、同時選択数Ｋを２に設定した形態に相当する。
【００５１】
ただし、各選択期間Ｈの時間長を準備期間Ｓと単位期間Ｕ1とで共通させた構成を前提とすると、準備期間Ｓ内の同時選択数と単位期間Ｕ1内の同時選択数とを相違させた場合には、準備期間Ｓの時間長と単位期間Ｕ1の時間長とを相違させる必要がある。準備期間Ｓ内の同時選択数と単位期間Ｕ1内の同時選択数とが相等しい第１実施形態では、準備期間Ｓの時間長と単位期間Ｕ1の時間長（さらには単位期間Ｕ2や単位期間ＵEの時間長）とが一致するから、各表示期間Ｐでの駆動回路４０の動作（表示制御回路１４２による駆動回路４０の制御処理）を簡素化することが可能である。
【００５２】
また、例えば準備期間ＳにてＭ本の走査線３２を同時に選択して全部の画素ＰIXに一斉に所定階調Ｇ0の階調電位Ｘ[n]を供給する構成では、各画素ＰIXの表示階調が準備期間Ｓにて所定階調Ｇ0に設定されてから書込期間Ｗ内で表示画像の指定階調に変更されるまでの時間長が行毎に相違する（第１行から第Ｍ行に近付くほど長い）から、第１行から第Ｍ行に近付くほど階調が低下するというｙ方向の階調斑が表示画像に発生する可能性がある。前述の各形態のように準備期間Ｓにて走査線３２を２本単位で選択する構成によれば、各画素ＰIXが準備期間Ｓにて所定階調Ｇ0に設定されてから書込期間Ｗにて指定階調に変更されるまでの時間長がＭ行にわたって均一化されるから、前述のｙ方向の階調斑を防止できるという利点がある。
【００５３】
（４）書込期間Ｗ（単位期間Ｕ1）での走査線３２の同時選択数は２本に限定されない。例えば相互に隣合う３本を単位としてＭ行の走査線３２を第１組に区分した場合、図６に示すように、表示期間Ｐの書込期間Ｗ内に３個の単位期間Ｕ1〜Ｕ3が設定される。単位期間Ｕ1では、Ｍ行の走査線３２が第１組単位（３本単位）で順次に選択されるとともに選択状態の第１組の３本のうち第１番目の走査線３２に対応する各画素ＰIXの指定階調に応じた階調電位Ｘ[n]が各信号線３４に供給される。単位期間Ｕ2では、各第１組の３本のうち第２番目の走査線３２が順次に選択される（すなわち走査線３２が２本おきに選択される）とともに選択状態の走査線３２に対応する各画素ＰIXの指定階調に応じた階調電位Ｘ[n]が各信号線３４に供給される。単位期間Ｕ3では、各第１組の３本のうち第３番目の走査線３２が順次に選択される（走査線３２が２本おきに選択される）とともに選択状態の走査線３２に対応する各画素ＰIXの指定階調に応じた階調電位Ｘ[n]が各信号線３４に供給される。
【００５４】
以上の例示から理解されるように、単位期間Ｕ1で選択される第１組の走査線３２の本数（同時選択数）をＱ本と一般化した場合（Ｑは２以上かつＭ以下の自然数）、各表示期間Ｐの書込期間Ｗ内にＱ個の単位期間Ｕ1〜ＵQが設定される。書込期間Ｗ内の第１番目の単位期間Ｕ1における駆動回路４０の動作は、Ｍ本の走査線３２をＱ本ずつ区分した第１組を選択期間Ｈ毎に順次に選択し、各選択期間Ｈで選択される第１組のＱ本の走査線３２のうち第１番目の走査線３２に対応する各画素ＰIXの指定階調に応じた階調電位Ｘ[n]を各信号線３４に供給する動作として包括される。また、書込期間Ｗ内の第ｑ番目（ｑ＝２〜Ｑ）の単位期間Ｕqにおける駆動回路４０の動作は、各第１組のＱ本の走査線３２のうち第ｑ番目の走査線３２を選択期間Ｈ毎に順次に選択し、各選択期間Ｈで選択される走査線３２に対応する各画素ＰIXの指定階調に応じた階調電位Ｘ[n]を各信号線３４に供給する動作として包括される。
【００５５】
なお、図６では書込期間Ｗ内の単位期間ＵEを省略した場合を例示したが、第１組とは組合せが相違する第２組（相互に隣合うＱ本の走査線３２の集合）を順次に選択して各画素ＰIXに階調電位Ｘ[n]を供給する第１実施形態の単位期間ＵEや、各画素ＰIXに対する階調電位Ｘ[n]の供給を停止する第２実施形態の単位期間ＵEを、書込期間ＷのうちＱ個の単位期間Ｕ1〜ＵQの経過後に設定することも可能である。
【００５６】
（５）指定階調に応じた目標電圧を上回る過電圧を各画素ＰIXの液晶素子ＣLに印加するオーバードライブ（過電圧駆動）を駆動回路４０が実行することも可能である。具体的には、各表示期間Ｐ（ＰR，ＰL）の単位期間Ｕ1にてオーバードライブが実行される。例えば図１０のように表示画像が右眼用画像ＧRおよび左眼用画像ＧLの一方から他方に直接的に更新される構成のもとで各表示期間Ｐの単位期間Ｕ1にてオーバードライブを実行する場合、相前後する２個の表示画像を比較し、直前の表示画像と比較して表示階調を大きく変化させる必要がある画素ＰIXのみをオーバードライブの対象とする構成（以下「構成Ａ」という）が想定される。しかし、構成Ａでは、相前後する２個の表示画像を記憶する記憶回路（フレームメモリ）が必要である。第１実施形態や第２実施形態では、各表示期間Ｐ内の準備期間Ｓにおいて各画素ＰIXの表示階調が所定階調Ｇ0に制御されてから書込期間Ｗにて右眼用画像ＧRまたは左眼用画像ＧLに更新されるから、オーバードライブに際して相前後する２個の表示画像を比較する必要がない。したがって、第１実施形態や第２実施形態のもとで駆動回路４０がオーバードライブを実行する構成では、各画素ＰIXのオーバードライブに必要な構成（フレームメモリ）が簡素化されるという利点がある。
【００５７】
（６）前述の各形態では、右眼用表示期間ＰRのうち準備期間Ｓの終点にて右眼用シャッター２２を閉状態から開状態に変化させたが、右眼用シャッター２２を閉状態から開状態に変化させる時期は適宜に変更される。例えば、右眼用表示期間ＰRの準備期間Ｓの終点以前に右眼用シャッター２２を開状態に変化させる構成や、右眼用表示期間ＰRの準備期間Ｓの終点以降に右眼用シャッター２２を開状態に変化させる構成も採用され得る。同様に、右眼用シャッター２２を開状態から閉状態に変化させる時期を、書込期間Ｗの終点以前に設定した構成や書込期間Ｗの終点以降に設定した構成も採用される。右眼用シャッター２２を閉状態から開状態に制御する時期や開状態から閉状態に制御する時期は、準備期間Ｓにおける左眼用画像ＧLと所定階調Ｇ0との混在が観察者に知覚されることを許容する度合や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様の事情が妥当する。
【００５８】
以上の説明から理解されるように、右眼用シャッター２２が開状態に維持される期間は、右眼用表示期間ＰRの書込期間Ｗの少なくとも一部を含む期間（直前の準備期間Ｓの末尾の一部や直後の準備期間Ｓの先頭を含むか否かは不問）として包括される。同様に、左眼用シャッター２４が開状態に制御される期間は、左眼用表示期間ＰLの書込期間Ｗの少なくとも一部を含む期間（直前の準備期間Ｓの末尾の一部や直後の準備期間Ｓの先頭を含むか否かは不問）として包括される。また、右眼用シャッター２２および左眼用シャッター２４の双方が閉状態に制御される期間は、各表示期間Ｐ（ＰR，ＰL）のうち準備期間Ｓの少なくとも一部を含む期間（直前の書込期間Ｗの末尾の一部や直後の書込期間Ｗの先頭の一部を含むか否かは不問）として包括される。
【００５９】
（７）所定階調Ｇ0は黒階調（最低階調）に限定されない。例えば、中間調や白階調（最高階調）を所定階調Ｇ0として選定することも可能である。ただし、高階調側の階調（中間調や白階調）を所定階調Ｇ0とした場合、表示画像の黒階調が明るい階調に知覚され、観察者が認識する表示画像のコントラストが低下する可能性がある。したがって、低階調側の階調（典型的には黒階調）が所定階調Ｇ0として好適である。
【００６０】
（８）電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００６１】
＜応用例＞
以上の各形態に例示した電気光学装置１０は、各種の電子機器に利用され得る。図７から図９には、電気光学装置１０を採用した電子機器の具体的な形態が例示されている。
【００６２】
図７は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図７では図示略）で視認する。
【００６３】
図８は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００６４】
図９は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００６５】
なお、本発明に係る電気光学装置が適用される電子機器としては、図７から図９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６６】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素、ＣL……液晶素子、ＳW……選択スイッチ、３２……走査線、３４……信号線、４０……駆動回路、４２……走査線駆動回路、４４……信号線駆動回路。
【図１】
0005821415.tif 000002
【図２】
0005821415.tif 000003
【図３】
0005821415.tif 000004
【図４】
0005821415.tif 000005
【図５】
0005821415.tif 000006
【図６】
0005821415.tif 000007
【図７】
0005821415.tif 000008
【図８】
0005821415.tif 000009
【図９】
0005821415.tif 000010
【図１０】
0005821415.tif 000011